(57)【特許請求の範囲】
【請求項１】
情報を表示する表示部と、
前記表示部に表示されている前記情報を更新する表示更新タイミングを示す更新信号を、外部からの入力に基づいて出力する入力部と、
周囲環境の明るさを測定し、前記周囲環境の明るさを示す照度検出値を出力する照度センサー部と、
前記更新信号と、前記照度検出値とに基づいて、前記表示部の輝度を制御する輝度制御部と
を具備し、
前記輝度制御部は、
前記表示部の輝度を設定し、前記表示部に設定している輝度を示す輝度設定値を出力する輝度設定部と、
前記照度検出値と前記輝度設定値との比較値を算出し、前記比較値が、前記周囲環境の明るさと前記表示部の輝度とが適合していると判定するために予め設定された所定の範囲内であるか否かを判定する比較部と
を備え、
前記輝度設定部は、前記比較値が前記所定の範囲内にない場合、前記更新信号を受け取ったタイミングで、予め格納している調整幅に基づいて前記表示部の輝度を変更し、
前記比較部は、前記比較値が前記所定の範囲内にない場合、前記表示部の輝度を変化させるための第１照度変化信号を前記輝度設定部に出力し、
前記輝度設定部は、前記第１照度変化信号を受け取る間、前記更新信号を受け取る都度、前記調整幅で前記表示部の輝度を変更する
携帯端末装置。
【請求項２】
請求項１に記載の携帯端末装置であって、
前記比較部は、前記比較値が前記所定の範囲内である場合、前記表示部の輝度を維持するための第２照度変化信号を前記輝度設定部に出力し、
前記輝度設定部は、前記第２照度変化信号を受け取る間、前記表示部の輝度を維持する
携帯端末装置。
【請求項３】
周囲環境の明るさを示す照度検出値を出力するステップと、
前記照度検出値を受信して、情報を表示する表示部の輝度を制御するステップと
を具備し、
前記輝度を制御するステップは、
前記表示部に設定している輝度を示す輝度設定値を出力するステップと、
前記照度検出値と前記輝度設定値との比較値を算出するステップと、
前記比較値が、前記周囲環境の明るさと前記表示部の輝度とが適合していると判定するために予め設定された所定の範囲内であるか否かを判定するステップと、
前記比較値が前記所定の範囲内にない場合、前記表示部の輝度を予め格納している調整幅で変更するステップと
を備え、
前記調整幅で変更するステップは、
外部からの入力に基づいて出力されて、前記表示部に表示されている前記情報を更新する表示更新タイミングを示す更新信号を受け取るステップと、
前記更新信号を受け取ったタイミングで、前記調整幅に基づいて前記表示部の輝度を変更するステップと
を含み、
前記判定するステップは、
前記比較値が前記所定の範囲内にない場合、前記表示部の輝度を変化させるための第１照度変化信号を出力するステップ
を備え、
前記調整幅で変更するステップは、
前記第１照度変化信号を受け取る間、前記更新信号を受け取る都度、前記調整幅で前記表示部の輝度を変更するステップ
を備える
輝度制御方法。
【請求項４】
請求項３に記載の輝度制御方法であって、
前記輝度を制御するステップは、
前記比較値が前記所定の範囲内である場合、前記表示部の輝度を維持するステップ
を更に備える
輝度制御方法。
【請求項５】
請求項３又は４に記載の方法をコンピュータに実行させる
輝度制御プログラム。
【発明の詳細な説明】
【技術分野】
【０００１】
本発明は携帯端末装置に関し、特に画面等の輝度制御に関する。
【背景技術】
【０００２】
近年、携帯端末装置は、大画面化やＴＶ機能の搭載など高機能化が進んでいる。これらの高機能化と共に、携帯端末装置の消費電力は増加する傾向にある。そこで、携帯端末装置の消費電力を低減させる様々な対策が考えられている。
【０００３】
特許文献１には、携帯装置の表示部と操作部とのバックライトを制御するバックライト制御装置に関する技術が開示されている。このバックライト制御装置は、携帯装置の表示部と操作部との照明制御と、表示部の表示・非表示制御とを、装置の状態と周囲環境の明暗との２つの条件から設定することができるというものである。
【０００４】
特許文献２には、照明のための消費電力を少なくする携帯電話に関する技術が開示されている。この携帯電話は、複数のキーを有する操作部と、操作部を照明するキー照明部と、操作部の操作に応じて情報を表示する表示部と、表示部を照明する表示照明部とを備え、電池により動作する。操作部が操作されると、キー照明部と表示照明部とは照明を開始する。表示部が動画を表示していない場合、所定時間経過すると、キー照明部と表示照明部は照明を終了する。表示部が動画を表示している場合、所定時間経過にかかわらず表示照明部は点灯を維持し、一方、キー照明部は所定時間経過後に照明を終了することを特徴としている。このような携帯電話は、キー操作部の照明が停止されるので、照明のための消費電力を低減できるというものである。
【０００５】
特許文献３には、使用環境や表示内容に応じて、表示状態を制御できる画像表示装置に関する技術が開示されている。この画像表示装置は、照度検出手段により周囲の照度の変化を検出し、同時に、映像特徴検出手段により入力映像の輝度の平均値、最大値、最小値等の映像特徴を検出する。照度変化が早く大きい場合には、順応制御手段が、検出照度の変化に対し所定のＬＰＦ演算により順応ターゲット特性を算出する。照度・映像適応制御手段は、順応ターゲット特性を目標値として、入力映像の映像特徴を考慮しながら、映像信号処理に対する制御とディスプレイの輝度制御とを適応的に行う。このような画像表示装置は、トンネルの出入り口のような急激な照度変化のある場合でも、常に最適な順応ターゲット特性を設定して制御することができるというものである。
【先行技術文献】
【特許文献】
【０００６】
【特許文献１】特開２０００−１３４８７号公報
【特許文献２】特開２００６−７４８３３号公報
【特許文献３】特開２００６−２８５０６４号公報
【発明の概要】
【発明が解決しようとする課題】
【０００７】
携帯端末装置は、消費電力を抑えるために、表示部の輝度（例えばＬＣＤ（Ｌｉｑｕｉｄ  Ｃｒｙｓｔａｌ  Ｄｉｓｐｌａｙ）バックライトの輝度）を周囲の明るさに合わせて変化させている。しかし、表示部の輝度が急激に変化するとユーザに違和感を与え、不具合症状と判断されてしまう場合がある。
【０００８】
本発明は、消費電力を抑えるための表示部の輝度変化を、ユーザに違和感を与えずに行なうことができる携帯端末装置を提供することにある。
【課題を解決するための手段】
【０００９】
本発明の携帯端末装置は、情報を表示する表示部と、表示部に表示されている情報を更新するための更新信号を出力する入力部と、周囲環境の明るさを測定し、周囲環境の明るさを示す照度検出値を出力する照度センサー部と、更新信号と照度検出値とに基づいて、表示部の輝度を制御する輝度制御部とを具備する。輝度制御部は、表示部の輝度を設定し、表示部に設定している輝度を示す輝度設定値を出力する輝度設定部と、照度検出値と輝度設定値との比較値を算出し、比較値が周囲環境の明るさと表示部の輝度とが適合していると判定するために予め設定された所定の範囲内であるか否かを判定する比較部とを備える。輝度設定部は、比較値が所定の範囲内にない場合、更新信号を受け取ったタイミングで、予め格納している調整幅に基づいて表示部の輝度を変更する。
【００１０】
本発明の輝度制御方法は、周囲環境の明るさを示す照度検出値を出力するステップと、照度検出値を受信して、情報を表示する表示部の輝度を制御するステップとを具備する。輝度を制御するステップは、表示部に設定している輝度を示す輝度設定値を出力するステップと、照度検出値と輝度設定値との比較値を算出するステップと、比較値が周囲環境の明るさと表示部の輝度とが適合していると判定するために予め設定された所定の範囲内であるか否かを判定するステップと、比較値が所定の範囲内にない場合、表示部の輝度を予め格納している調整幅で変更するステップとを備える。調整幅で変更するステップは、表示部に表示されている情報を更新するための更新信号を受け取るステップと、更新信号を受け取ったタイミングで、調整幅に基づいて表示部の輝度を変更するステップとを含む。
【００１１】
本発明の輝度制御プログラムは、周囲環境の明るさを示す照度検出値を出力するステップと、照度検出値を受信して、情報を表示する表示部の輝度を制御するステップとをコンピュータ実行可能に具備する。輝度を制御するステップは、表示部に設定している輝度を示す輝度設定値を出力するステップと、照度検出値と輝度設定値との比較値を算出するステップと、比較値が周囲環境の明るさと表示部の輝度とが適合していると判定するために予め設定された所定の範囲内であるか否かを判定するステップと、比較値が所定の範囲内にない場合、表示部の輝度を予め格納している調整幅で変更するステップとを備える。調整幅で変更するステップは、表示部に表示されている情報を更新するための更新信号を受け取るステップと、更新信号を受け取ったタイミングで、調整幅に基づいて表示部の輝度を変更するステップとを含む。
【発明の効果】
【００１２】
本発明の携帯端末装置は、消費電力を抑えるための表示部の輝度変化を、ユーザに違和感を与えず行なうことができる。
【図面の簡単な説明】
【００１３】
【図１】図１は、本発明の実施の形態による携帯端末装置１の構成例を示すブロック図である。
【図２】図２は、携帯端末装置１の実施の形態における、ハードウエア構成例を示すブロック図である。
【図３】図３は、本発明の携帯端末装置１の実施の形態による処理動作を示したフローチャートである。
【図４】図４は、照度センサー部１０が出力する照度検出値ａと、輝度設定部２２が出力する表示部４０の現在の輝度を示す輝度設定値ｂと、照度検出値ａと輝度設定値ｂとの比較値と、比較部２１が出力する照度変化信号ｃとのタイミングチャートである。
【図５】図５は、本発明の携帯端末装置１の表示部４０の輝度変化の過程を示す図である。
【図６】図６は、本発明の携帯端末装置１の効果を示すために、段階的に輝度が変化しない場合を示す図である。
【発明を実施するための形態】
【００１４】
以下、添付図面を参照して本発明の実施の形態による携帯端末装置、輝度制御方法、及び輝度制御プログラムを説明する。
【００１５】
図１は、本発明の実施の形態による携帯端末装置１の構成例を示すブロック図である。図１を参照すると、携帯端末装置１は、照度センサー部１０と、輝度制御部２０と、入力部３０と、表示部４０とを具備する。尚、携帯端末装置１は、携帯電話機や携帯オーディオプレイヤーなど、情報を表示する機能を有する携帯端末装置であり、図１では本発明に係る機能以外の構成は省略されている。
【００１６】
照度センサー部１０は、周囲環境の明るさを測定し、周囲環境の明るさを示す照度検出値ａを生成する。照度センサー部１０は、照度検出値ａを輝度制御部２０に出力する。
【００１７】
輝度制御部２０は、照度検出値ａを受け取り、照度検出値ａに基づいて表示部４０の輝度を制御する。詳細には、輝度制御部２０は、ユーザが明るい環境に移動するなどして周囲環境が明るい場合、即ち表示部４０の輝度が周囲環境よりも暗い場合、表示部４０の輝度を上げるように制御する。一方、輝度制御部２０は、ユーザが暗い環境に移動するなどして周囲環境が暗い場合、即ち表示部４０の輝度が周囲環境よりも明るい場合、表示部４０の輝度を下げるように制御する。また、輝度制御部２０は、表示部４０の輝度が周囲環境の明るさに適合している場合、表示部４０の輝度を維持するように制御する。輝度制御部２０は、比較部２１と、輝度設定部２２とを備える。
【００１８】
比較部２１は、周囲環境の明るさと表示部４０の輝度とが適合していることを判定するため、予め設定された所定の範囲としてヒステリシス設定値を格納している。ヒステリシス設定値は、照度検出値ａと、表示部４０の現在の輝度を示す輝度設定値ｂとの比較値（例えば差分値）に対して設定されている。照度検出値ａと輝度設定値ｂとの比較値が、ヒステリシス設定値を超えないとき（所定の範囲内の場合）は、表示部４０の輝度が周囲環境の明るさに適合していることを表す。
【００１９】
比較部２１は、照度センサー部１０から照度検出値ａを受け取る。また、比較部２１は、輝度設定部２２から表示部４０に設定されている現在の輝度設定値ｂを受け取る。そして、比較部２１は、照度検出値ａと輝度設定値ｂとを比較した比較値を算出し、比較値に基づいて照度変化信号ｃを輝度設定部２２に出力する。詳細には、比較部２１は、照度検出値ａと輝度設定値ｂとの比較値がヒステリシス設定値を超えたか否かを判定する。比較部２１は、判定の結果、比較値がヒステリシス設定値を越えていない場合、即ち、現在の表示部４０の輝度を維持する制御を行う場合は、表示部４０の輝度を維持するためのインアクティブ（０）を示す照度変化信号ｃを輝度設定部２２に出力する。一方、比較部２１は、判定の結果、比較値がヒステリシス設定値を越えている場合、即ち、表示部４０の輝度を変化させる場合は、表示部４０の輝度を変化させるためのアクティブ（＋、−）を示す照度変化信号ｃを輝度設定部２２に出力する。アクティブ（＋）を示す照度変化信号ｃは、表示部４０の輝度を上げる制御を表し、アクティブ（−）を示す照度変化信号ｃは、表示部４０の輝度を下げる制御を表す。これらを言い換えると、比較部２１は、比較値がヒステリシス設定値を超える都度（所定の範囲内でなくなる都度）、インアクティブ（０）からアクティブ（＋、−）へ変化させた照度変化信号ｃを出力し、比較値がヒステリシス設定値を超えなくなる都度（所定の範囲内になる都度）、アクティブ（＋、−）からインアクティブ（０）へ変化させて照度変化信号ｃを出力する。尚、比較部２１の動作の詳細は、タイミングチャートを用いて後述する。
【００２０】
輝度設定部２２は、表示部４０の輝度を設定し、表示部４０に設定している現在の輝度を示す輝度設定値ｂを比較部２１へ出力する。ここで、輝度設定部２２は、比較部２１で算出された比較値がヒステリシス設定値を超える場合、表示部４０に表示されている情報を更新するための更新信号を入力部３０から受け取ったタイミングで、予め格納している調整幅に基づいて表示部４０の輝度を変更する。調整幅は、表示部４０の輝度の変化がユーザに違和感を与えないように、段階的に調整するための変化幅である。詳細には、輝度設定部２２は、比較部２１からアクティブ（＋、−）を示す照度変化信号ｃを受け取っている間、入力部３０から更新信号を受け取る都度、調整幅で表示部４０の輝度を変更する。例えば、輝度設定部２２は、アクティブ（＋）を示す照度変化信号ｃを受け取っている場合、調整幅に基づいて輝度を一段階上げる。一方、輝度設定部２２は、アクティブ（−）を示す照度変化信号ｃを受け取っている場合、調整幅に基づいて輝度を一段階下げる。輝度設定部２２は、インアクティブ（０）を示す輝度設定値ｂを受け取ると、表示部４０の輝度の上げ下げを停止し、現在の輝度に維持する制御を行う。尚、比較部２１は、輝度設定部２２の輝度設定値ｂと照度センサー部１０の照度検出値ａとの比較値が、ヒステリシス設定値を越えなくなる、即ち、表示部４０の輝度が周囲環境の明るさに適合した場合、インアクティブ（０）を示す照度変化信号ｃを輝度設定値２２に出力することになる。
【００２１】
入力部３０は、ユーザの入力に基づいて、表示部４０に表示されている情報を更新するための更新信号を輝度設定部２２へ出力する。
【００２２】
表示部４０は、携帯端末装置１の出力情報をユーザが認識できるように表示する。表示部４０は、輝度設定部２２に基づいて輝度が制御される。表示部４０は、バックライトを有するＬＣＤが例示され、輝度設定部２２に基づいてバックライトの輝度が制御される。
【００２３】
本発明の実施の形態による携帯端末装置１は、コンピュータを用いて実現可能である。図２は、携帯端末装置１の実施の形態における、ハードウエア構成例を示すブロック図である。図２を参照すると、本発明の携帯端末装置１は、ＣＰＵ（Ｃｅｎｔｒａｌ  Ｐｒｏｃｅｓｓｉｎｇ  Ｕｎｉｔ）１００と、記憶装置１０１と、入力装置１０２と、出力装置１０３と、各装置を接続するバス１０４とを備えるコンピュータシステムで構成される。
【００２４】
ＣＰＵ１００は、記憶装置１０１に格納されている本発明の携帯端末装置１に係る演算処理及び制御処理を行う。記憶装置１０１は、ハードディスクやメモリなど、情報の記録を行う装置である。記憶装置１０１は、ＣＤ−ＲＯＭやＤＶＤ等のコンピュータ読み取り可能な記憶媒体から読み取られたプログラム、入力装置１０２から入力された信号やプログラム、及びＣＰＵ１００の処理結果を格納する。入力装置１０２は、ボタン、キーボード、マイクロフォンなど、ユーザがコマンド及び信号を入力することが出来る装置である。出力装置１０３は、ディスプレイ、スピーカなど、ユーザに出力結果を認識させる装置である。尚、本発明はハードウエア構成例と示したものに限定されず、各部はハードウエアとソフトウエアとを単独又は組み合わせて実現することが出来る。
【００２５】
図３は、本発明の携帯端末装置１の実施の形態による処理動作を示したフローチャートである。図４は、照度センサー部１０が出力する照度検出値ａと、輝度設定部２２が出力する表示部４０の現在の輝度を示す輝度設定値ｂと、照度検出値ａと輝度設定値ｂとの比較値と、比較部２１が出力する照度変化信号ｃとのタイミングチャートである。図４において、比較部２１が有するヒステリシス設定値は、照度検出値ａと輝度設定値ｂとの比較値に対して、２つの点線で囲まれた範囲である。図３及び図４を参照して、本発明の携帯端末装置１の処理動作を説明する。尚、携帯端末装置１は、輝度制御部２０が現在の表示部４０の輝度を維持するように制御している状態、即ち、比較部２１がインアクティブ（０）を示す照度変化信号ｃを出力している状態であるとする。
【００２６】
ステップＳ０１：
照度センサー部１０は、周囲環境の明るさを測定し、周囲環境の明るさを示す照度検出値ａを生成する。照度センサー部１０は、照度検出値ａを比較部２１に出力する。また、輝度設定部２２は、表示部４０に設定している現在の輝度設定値ｂを比較部２１に出力する。
【００２７】
ステップＳ０２：
比較部２１は、照度センサー部１０から照度検出値ａを受け取る。また、比較部２１は、輝度設定部２２から輝度設定値ｂを受け取る。そして、比較部２１は、照度検出値ａと輝度設定値ｂとの比較値を算出し、比較値がヒステリシス設定値を超えたか否かを判定する。
【００２８】
ステップＳ０２において、比較部２１は、判定の結果、比較値がヒステリシス設定値を越えていない場合（ＮＯの場合）、即ち、現在の表示部４０の輝度を維持する制御を行う場合は、インアクティブ（０）を示す照度変化信号ｃを出力し続ける。そして、ステップＳ０１の状態へ戻る。
【００２９】
ステップＳ０３：
ステップＳ０２において、比較部２１は、判定の結果、比較値がヒステリシス設定値を越えている場合（ＹＥＳの場合）、即ち、表示部４０の輝度を変化させる場合は、アクティブ（＋、−）を示す照度変化信号ｃを出力する。アクティブ（＋）を示す照度変化信号ｃは、表示部４０の輝度を上げる制御を表し、アクティブ（−）を示す照度変化信号ｃは、表示部４０の輝度を下げる制御を表す。
【００３０】
図４のＴ１を参照すると、携帯端末装置１が明るい場所へ移動されるなどして、照度検出値ａが明るく変化している。比較部２１は、Ｔ１において、比較値がヒステリシス設定値を超えたため、インアクティブ（０）からアクティブ（＋）へ変化させた照度変化信号ｃを出力する。
【００３１】
ステップＳ０４：
輝度設定部２２は、アクティブ（＋）を示す照度変化信号を受け取る。そして、輝度設定部２２は、表示部４０の表示更新タイミングであるか否か、即ち、入力部３０から表示部４０の表示を更新する更新信号を受け取っているか否かを判定する。
【００３２】
ステップＳ０４において、輝度設定部２２が、表示変更タイミングでない、即ち、入力部３０から更新信号を受け取っていない場合（ＮＯの場合）、ステップＳ０４の状態へ戻る。
【００３３】
図４のＴ１〜Ｔ２を参照すると、輝度設定部２２は、更新信号を受け取っていないため、輝度を上げる制御を行っていないことが示されている。その間、照度比較値ａと輝度設定値ｂとの比較値は大きく広がり、その後、照度検出値ａの安定と共に比較値も安定する。
【００３４】
ステップＳ０５：
ステップＳ０４において、表示更新タイミングである、即ち、輝度設定部２２がユーザ入力に基づいて入力部３０から更新信号を受け取った場合（ＹＥＳの場合）、表示部４０の輝度を調整幅に基づいて変更する。つまり、輝度設置部２２は、調整幅に基づいて輝度設定値ｂを一段階変更する。そして、輝度設定部２２は、表示部４０の現在の輝度設定値ｂを比較部２１へ出力する。
【００３５】
図４のＴ２を参照すると、輝度設定部２２は、入力部３０から更新信号を受け取り、調整幅に基づいて輝度設定値ｂを上げる。そして、輝度設定部２２は、表示部４０の現在の輝度設定値ｂを比較部２１へ出力する。
【００３６】
ステップＳ０６：
比較部２１は、輝度設定部４０から表示部４０に設定されている現在の輝度設定値ｂを受け取る。そして、比較部２１は、照度検出値ａと輝度設定値ｂとの比較値がヒステリシス設定値を超えたか否かを判定する。
【００３７】
ステップＳ０６において、比較部２１は、判定の結果、比較値がヒステリシス設定値を越えていない場合（ＮＯの場合）、即ち、現在の表示部４０の輝度を上げる制御を継続する場合、アクティブ（＋）を示す照度変化信号ｃを出力し続ける。そして、ステップＳ０４の状態へ戻る。
【００３８】
図４のＴ２を参照すると、比較部２１は、比較値がヒステリシス設定値を超えていないため、現在の輝度を上げる制御を継続するために、アクティブ（＋）を示す照度変化信号ｃを出力し続ける。Ｔ３において、輝度設定部２２は、入力部３０から更新信号を受け取ると、調整幅に基づいて表示部４０の輝度設定値ｂを更に一段階上げる。そして、輝度設定部２２は、変更した表示部４０の現在の輝度設定値ｂを比較部２１へ出力する。比較部２１は、同様に、比較値がヒステリシス設定値を超えているか否かの判定を行うが、比較値がヒステリシス設定値を超えていないため、現在の輝度を上げる制御を継続するために、アクティブ（＋）を示す照度変化信号ｃを出力し続ける。比較部２１及び輝度設定部２２は、Ｔ４〜Ｔ６まで同様の操作を繰り返す。
【００３９】
図５は、本発明の携帯端末装置１の表示部４０の輝度変化の過程を示す図である。図５を参照すると、Ｔ２からＴ３までは画面「１」の輝度で表示され、更新信号を受け取る都度、一定の設定幅で画面「２」から画面「３」へと輝度が段階的に上がっていくことが示されている。
【００４０】
ステップＳ０７：
ステップＳ０６において、比較部２１は、判定の結果、比較値がヒステリシス設定値を越えた場合（ＹＥＳの場合）、即ち、現在の表示部４０の輝度を維持する制御に切り替える場合、インアクティグ（０）を示す照度変化信号ｃを出力する。
【００４１】
図４のＴ７を参照すると、輝度設定部２２は、調整幅に従って表示部４０の輝度設定値を更に一段階上げ、変更した表示部４０の現在の輝度設定値ｂを比較部２１へ出力する。比較部２１は、比較値がヒステリシス設定値を超えているか否かの判定を行う。比較部２１は、Ｔ７において、比較値がヒステリシス設定値を超えたと判定し、インアクティブ（０）を示す照明度変化信号ｃを出力する。輝度設定部２２は、インアクティブ（０）を示す輝度設定値ｂを受け取ると、表示部４０の輝度の上昇を停止し、現在の輝度に維持する制御を行う。図４のＴ８からＴ１４は、照度センサー部１０の照度検出値ａが、表示部４０の現在の輝度設定値ｂよりも暗く表示部４０の輝度を下げる場合、即ち、輝度設定部２２がアクティブ（−）を示す照度変化信号ｃを比較部２１から受け取る場合を示したフローチャートである。Ｔ８からＴ１４までの動作は、前述したＴ１からＴ７と同様である。
【００４２】
このように、本発明の携帯端末装置１は、ユーザが明るい環境に移動すると、表示部４０の表示更新タイミングに同期させて表示部４０の輝度を明るく制御し、ユーザが暗い場所へ移動すると、表示部４０の表示更新タイミングに同期させて表示部４０の輝度を暗く制御する。即ち、本発明の携帯端末装置１は、周囲の明るさに応じて表示部４０の輝度調整をすることができるため、消費電力を有効に抑える効果を奏する。特に、本発明の携帯端末装置１は、ユーザ操作による表示部４０の更新タイミング毎に、表示部４０の輝度を所定の調整幅に基づいて段階的に調整できるため、ユーザに違和感を与えることなく、表示部４０の輝度を調整できる効果を奏している。
【００４３】
図６は、本発明の携帯端末装置１の効果を示すために、段階的に輝度が変化しない場合を示す図である。図６を参照すると、Ｔ１において、携帯端末装置１が明るい場所へ移動されるなどして、照度検出値ａが明るく変化している。比較部２１は、Ｔ１において、比較値がヒステリシス設定値を超えたため、インアクティブ（０）からアクティブ（＋）へ変化させた照度変化信号ｃを出力する。
【００４４】
Ｔ１〜Ｔ２を参照すると、輝度設定部２２は、更新信号を受け取っていないため、輝度を上げる制御を行っていないことが示されている。その間、照度比較値ａと輝度設定値ｂとの比較値は大きく広がり、その後、照度検出値ａの安定と共に比較値も安定する。
【００４５】
Ｔ２を参照して、輝度設定部２２は、入力部３０から更新信号を受け取り、輝度設定値ｂを上げる。そして、輝度設定部２２は、表示部４０の現在の輝度設定値ｂを比較部２１へ出力する。輝度設定部２２は、照度検出値ａと輝度設定値ｂとの比較値が、ヒステリシス設定値を超えなくなるまで、一気に表示部４０の輝度を上げる。
【００４６】
Ｔ３において、輝度設定部２２は、変更した表示部４０の現在の輝度設定値ｂを比較部２１へ出力する。比較部２１は、比較値がヒステリシス設定値を超えているか否かの判定を行う。比較部２１は、比較値がヒステリシス設定値を超えたと判定し、インアクティブ（０）を示す照明度変化信号ｃを出力する。輝度設定部２２は、インアクティブ（０）を示す輝度設定値ｂを受け取ると、表示部４０の輝度の上昇を停止し、現在の輝度に維持する制御を行う（Ｔ４〜Ｔ７）。Ｔ８以降の動作は、前述したＴ１からＴ７と同様である。
【００４７】
図６の例では、一気に表示部４０の輝度を上げてしまうため、表示部４０の輝度が急激に変化し、ユーザに違和感を与えることになり、結果として不具合症状と判断されてしまう場合があり好ましくない。一方、前述したように、本願発明の携帯端末装置１は、消費電力を抑えるための表示部４０の輝度変化を、段階的に且つユーザ操作に基づいて行うため、ユーザに違和感を与えず行なうことができる効果を奏している。
【符号の説明】
【００４８】
１      携帯端末装置
１０    照度センサー部
２０    輝度制御部
２１    比較部
２２    輝度設定部
３０    入力部
４０    表示部
１００  ＣＰＵ
１０１  記憶装置
１０２  入力装置
１０３  出力装置
１０４  バス
ａ      照度検出値
ｂ      輝度設定値
ｃ      照度変化信号
【図１】
0005429558.tif 000002
【図２】
0005429558.tif 000003
【図３】
0005429558.tif 000004
【図４】
0005429558.tif 000005
【図５】
0005429558.tif 000006
【図６】
0005429558.tif 000007